(57)【要約】【課題】樹脂ブッシングの端子カバーの端部裏面が雨で濡れないようにすることで端部裏面に導電経路が形成されないようにし、地絡の虞を減少させる。【解決手段】筒状のコア樹脂部１ａとその表面を覆って一体に設けられた傘カバー樹脂部１ｂとからなる樹脂ブッシング本体と、樹脂ブッシング本体の端部に当接された端子金具２と、端子金具２を覆うように形成された筒状の端子カバー５とを備え、端子カバー５のブッシング側端部に内側への折り曲げ部５ｆが形成されている。【選択図】図１
2005285538.tif 000002
【特許請求の範囲】
【請求項１】
筒状のコア樹脂部とその表面を覆って一体に設けられた傘カバー樹脂部とからなる樹脂ブッシング本体と、前記樹脂ブッシング本体の端部に当接された端子金具と、前記端子金具に支持されて固定され、前記端子金具を覆うとともに、前記傘カバー樹脂部に接触しないように前記傘カバー樹脂部の一部を覆うように形成された、筒状の端子カバーとを備えた樹脂ブッシングにおいて、
前記端子カバーのブッシング側端部に内側への折り曲げ部が形成され、前記折り曲げ部が前記傘カバー樹脂部に接触しないように配置されていることを特徴とする樹脂ブッシング。
【請求項２】
前記傘カバー樹脂部および前記端子カバーはゴム弾性を有していることを特徴とする請求項１に記載の樹脂ブッシング。
【請求項３】
前記折り曲げ部の先端は前記傘カバー樹脂部の傘部の外周より内側に配置されていることを特徴とする請求項１または請求項２に記載の樹脂ブッシング。  
【発明の詳細な説明】
【技術分野】
【０００１】
本発明は、筒状のコア樹脂部と、その表面を覆って一体に設けられた傘カバー樹脂部とからなる樹脂ブッシング本体の端部に端子金具が取り付けられ、端子金具と傘カバー樹脂部の一部とを覆うように形成された端子カバーとを備えた樹脂ブッシングに関するものである。
【背景技術】
【０００２】
屋外用電気機器に用いられる、気中側に端子金具を有する特高用等のブッシングには、たとえば蛇等が端子金具とアース部位である電気機器ケースとの間を這うと地絡事故を生ずることとなるため、このような鳥獣害による事故を防止するため、該端子金具を覆う端子カバーを設けることがある。
【０００３】
従来のこの種の端子カバーを備えたブッシングを図２、図３に示す。ブッシング本体１は筒状のコア樹脂部１ａとその表面を覆って一体に設けられた傘カバー樹脂部１ｂとからなり、傘カバー樹脂部１ｂは傘部１ｃと胴部１ｄからなっている。コア樹脂部１ａはエポキシ樹脂ＦＲＰ、不飽和ポリエステルＦＲＰ、あるいはそれらの繊維強化されていない樹脂系のもの等により構成されている。コア樹脂部１ａには、端子金具２を有して電気機器内部と導通させる導体ロッド７が挿通されており、その端子金具２がブッシング本体１の端部に当接されている。端子金具２には、接続金具３を介して高圧引き下げ線４が接続されている。高圧引き下げ線４は導体４ａの周りに絶縁被覆４ｂが被覆されている。端子カバー５は、端子金具２および接続金具３を覆い、ブッシング本体１の傘部１ｃに接触しないように、傘部１ｃの一部を覆っている。
【０００４】
端子カバー５の傘覆い部５ｄは、通常傘部１ｃのうち最上段の傘１ｅを覆う程度の長さに構成される。これ以上長くして傘部１ｃの大部分を覆ってしまうと、絶縁の沿面距離を確保するために設けられている傘部１ｃの効果を損なってしまうからである。
【０００５】
端子カバーとしては、特許文献１に示されるようなものが知られている。
【０００６】
また本発明に用いるブッシングは樹脂ブッシングであり、端子カバー部を除いて特許文献２に示されるようなものが知られている。
【特許文献１】特開２００２−１４２３４１号公報
【特許文献２】特開２０００−２９９０２９号公報
【発明の開示】
【発明が解決しようとする課題】
【０００７】
しかしながら従来のこの種の端子カバーを備えたブッシングでは、端子カバー５とアース部位である電気機器ケースとの間が蛇等の鳥獣を介して短絡されると、激しい雨が降ったような場合ブッシング本体の傘部１ｃに雨があたり、その跳ね返りが端子カバーの端部裏面５ａを濡らしやすいため、端部裏面５ａに、図２に示すように端子金具２から端子カバー５の表面に達する導電経路６が形成され、地絡の虞があるという問題点があった。
【０００８】
本発明の目的は、激しい雨が降ってもブッシング本体の傘部にあたった雨の跳ね返りが端子カバーの端部裏面を濡らすことがないようにすることで、端子金具と端子カバーとの間に導電経路が形成されることを防ぎ、地絡の虞をより少なくできる樹脂ブッシングを提供することにある。
【課題を解決するための手段】
【０００９】
第１の発明は、筒状のコア樹脂部とその表面を覆って一体に設けられた傘カバー樹脂部とからなる樹脂ブッシング本体と、前記樹脂ブッシング本体の端部に当接された端子金具と、前記端子金具に支持されて固定され、前記端子金具を覆うとともに、前記傘カバー樹脂部に接触しないように前記傘カバー樹脂部の一部を覆うように形成された、筒状の端子カバーとを備えた樹脂ブッシングにおいて、
前記端子カバーのブッシング側端部に内側への折り曲げ部が形成され、前記折り曲げ部が前記傘カバー樹脂部に接触しないように配置されていることを特徴とする樹脂ブッシングである。
【００１０】
第２の発明は、第１の発明に記載の前記傘カバー樹脂部および前記端子カバーはゴム弾性を有していることを特徴とする樹脂ブッシングである。
【００１１】
第３の本発明は、第１の発明または第２の発明に記載の、前記折り曲げ部の先端は前記傘カバー樹脂部の傘部の外周より内側に配置されていることを特徴とする樹脂ブッシングである。
【発明の効果】
【００１２】
上記第１の発明によれば、端子カバーのブッシング側端部に内側への折り曲げ部を形成することにより、激しい雨が降ったような場合、傘カバー樹脂部の傘部にあたった雨の跳ね返りが端子カバーの端部裏面を濡らすことを抑えることができ、端子金具と端子カバーとの間に導電経路が形成されることを防ぎ、地絡の虞を少なくすることができる。
【００１３】
さらに上記第２の発明によれば、上記の効果に加えて、傘カバー樹脂部および端子カバーをゴム弾性を有する材質とすることにより、どちらも容易に変形するため、端子カバーを樹脂ブッシング本体に容易に装着することができる。
【００１４】
また上記第３の発明によれば、上記の効果に加えて、端子カバーの折り曲げ部の先端を傘カバー樹脂部の傘部の外周より内側に配置することにより、傘カバー樹脂部の傘部にあたった雨の跳ね返りが端子カバーの端部裏面を濡らす可能性をより小さくでき、地絡の虞をより少なくできる。
【発明を実施するための最良の形態】
【００１５】
図１は本発明にかかる樹脂ブッシングにおける実施の形態を示したもので、前述した図２と対応する部分には同一符号をつけて示している。
【００１６】
傘カバー樹脂部１ｂはゴム弾性を有するシリコーン系ゴム、エチレンプロピレン系ゴム等により構成されている。端子カバー５は筒状の形状をしており、ゴム弾性を有する、シリコーン系ゴム、エチレンプロピレン系ゴム等により構成され、引き下げ線覆い部５ｂ、支持部５ｃ、傘覆い部５ｄ等からなっており、傘覆い部５ｄが傘カバー樹脂部１ｂに触れないように形成されている。
【００１７】
引き下げ線覆い部５ｂの先端には絶縁被覆された高圧引き下げ線４を通すための孔５ｅが設けられ、高圧引き下げ線４と孔５ｅとの隙間から雨水が浸入しないようさらに先端部をテープ巻きする場合もある。
【００１８】
端子カバー５は支持部５ｃで端子金具２に支持固定される。
【００１９】
傘覆い部５ｄの先端には折り曲げ部５ｆが傘カバー樹脂部１ｂに触れないように延伸して形成され、該折り曲げ部５ｆが傘カバー樹脂部１ｂの傘部１ｃ間に配置され、その先端は傘カバー樹脂部１ｂの傘部１ｃの外周より内側に配置される。折り曲げ部５ｆの先端は、激しく降った雨が傘部１ｃに当たりその跳ね返りが端子カバーの端部裏面５ａを濡らして図２に示す導電経路６を形成する可能性をより少なくするには、傘カバー樹脂部１ｂに触れない範囲内でより内側まで伸ばすほうが好ましい。
【００２０】
端子カバー５は下記のように樹脂ブッシングに装着される。まず、高圧引き下げ線４を端子カバー５の孔５ｅに通し、高圧引き下げ線４と端子金具２との接続作業ができる程度に端子カバー５を端子金具２から離しておく。次に、高圧引き下げ線４に図３の接続金具３を取り付け、接続金具３と端子金具２とをボルト締めする。最後に、端子カバー５を樹脂ブッシングにかぶせながら支持部５ｃを端子金具２に固定する。この際、端子カバー５の折り曲げ部５ｆが傘カバー樹脂部１ｂの傘部１ｃと干渉するが、折り曲げ部５ｆ、傘部１ｃともゴム弾性を有するため、容易に変形するので、簡単に端子カバー５を樹脂ブッシングに装着することができる。
【図面の簡単な説明】
【００２１】
【図１】本発明にかかる樹脂ブッシングにおける実施の形態を示す要部縦断面図である。
【図２】従来の端子カバーを備えた樹脂ブッシングの要部縦断面図である。
【図３】図２の一部詳細図である。
【符号の説明】
【００２２】
１  ブッシング本体
１ａ  コア樹脂部
１ｂ  傘カバー樹脂部          
１ｃ  傘部
１ｄ  胴部
１ｅ  最上段の傘
２  端子金具
３  接続金具
４  高圧引き下げ線
４ａ  導体
４ｂ  絶縁被覆
５  端子カバー
５ａ  端部裏面
５ｂ  引き下げ線覆い部
５ｃ  支持部
５ｄ  傘覆い部
５ｅ  孔
５ｆ  折り曲げ部
６  導電経路
７  導体ロッド
【図１】
2005285538.tif 000003
【図２】
2005285538.tif 000004
【図３】
2005285538.tif 000005